(57)【要約】  本発明は、単一音源を用いた人体音響送信システム及びその方法に関するものである。人体音響送信システムは、第１の高周波信号に音響信号を乗せ前記人体を介して送信する第１の送信手段と、ユーザの耳領域において干渉によって前記第１の高周波信号が相殺され前記音響信号が復元されるように、前記第１の高周波信号と同一の周波数を有する第２の高周波信号を、前記人体を介して送信する第２の送信手段を備える。
2010527176.tif 000002
【特許請求の範囲】
【請求項１】
人体を媒質として用いる人体音響送信システムにおいて、
第１の高周波信号に音響信号を乗せ、前記人体を介して送信する第１の送信手段と、
ユーザの耳領域において干渉によって前記第１の高周波信号が相殺され前記音響信号が復元されるように、前記第１の高周波信号と同一の周波数を有する第２の高周波信号を、前記人体を介して送信する第２の送信手段と、
を備えることを特徴とする単一音源を用いた人体音響送信システム。
【請求項２】
前記第１の送信手段が、
音響データから前記音響信号を生成する音響生成手段と、
前記音響信号を運搬する前記第１の高周波信号を生成する第１の高周波信号生成手段と、
前記音響信号と前記第１の高周波信号を合成する信号結合手段と、
前記ユーザの耳領域において前記第１の高周波信号と前記第２の高周波信号が相殺され前記音響信号が復元されるように、前記信号結合手段で生成された合成信号の位相を遷移させる第１の位相遷移手段と、
前記音響生成手段及び前記第１の高周波信号生成手段で生成される各々の信号の周波数を調節して、前記信号結合手段での信号合成及び前記第１の位相遷移手段での位相遷移を制御する第１の制御手段と、
前記第１の位相遷移手段で位相遷移された合成信号を前記人体に出力する第１の伝送手段と、
を備えることを特徴とする請求項１に記載の単一音源を用いた人体音響送信システム。
【請求項３】
前記第１の送信手段が、
人体伝送過程で発生する雑音による信号減殺を防止することができるように、前記合成信号を増幅する第１の増幅手段をさらに備えることを特徴とする請求項２に記載の単一音源を用いた人体音響送信システム。
【請求項４】
前記第１の送信手段が、
前記人体のインピーダンス特性の変化による前記合成信号の歪みを補正する第１の校正手段をさらに備えることを特徴とする請求項２に記載の単一音源を用いた人体音響送信システム。
【請求項５】
前記音響生成手段が、
内部メモリに保存されている音響データ又は外部の通信装置からの入力を受けた音響データを用いて、前記音響信号を生成することを特徴とする請求項２に記載の単一音源を用いた人体音響送信システム。
【請求項６】
前記第２の送信手段が、
前記第１の高周波信号と同一の周波数を有する第２の高周波信号を生成する第２の高周波信号生成手段と、
前記ユーザの耳領域において前記第１の高周波信号と前記第２の高周波信号が相殺され前記音響信号が復元されるように、前記第２の高周波信号の位相を遷移させる第２の位相遷移手段と、
前記第２の高周波信号生成手段で生成される信号の周波数を調節して前記第２の位相遷移手段での位相遷移を制御する第２の制御手段と、
前記第２の位相遷移手段で位相遷移された第２の高周波信号を前記人体に出力する第２の伝送手段と、
を備えることを特徴とする請求項１に記載の単一音源を用いた人体音響送信システム。
【請求項７】
前記第２の送信手段が、
人体伝送過程で発生する雑音による信号減殺を防止することができるように、前記第２の高周波信号を増幅する第２の増幅手段をさらに備えることを特徴とする請求項６に記載の単一音源を用いた人体音響送信システム。
【請求項８】
前記第２の送信手段が、
前記人体のインピーダンス特性の変化による前記第２の高周波信号の歪みを補正する第２の校正手段をさらに備えることを特徴とする請求項６に記載の単一音源を用いた人体音響送信システム。
【請求項９】
前記音響信号が、
前記人体を介して伝送されることができる可聴周波数帯域の音響信号であることを特徴とする請求項６に記載の単一音源を用いた人体音響送信システム。
【請求項１０】
前記第１の及び第２の高周波信号が、
可聴周波数帯域より高い周波数を有する高周波信号であることを特徴とする請求項９に記載の単一音源を用いた人体音響送信システム。
【請求項１１】
前記第１の及び第２の送信手段が、
前記ユーザの人体に接触するものの、前記ユーザの左／右側耳から同一の距離に位置することを特徴とする請求項６に記載の単一音源を用いた人体音響送信システム。
【請求項１２】
前記第１の及び第２の制御手段が、
前記第１の伝送手段から出力される合成信号の位相と前記第２の伝送手段から出力される第２の高周波信号の位相とが同一になるよう前記第１の及び第２の位相遷移手段を制御することを特徴とする請求項１１に記載の単一音源を用いた人体音響送信システム。
【請求項１３】
前記第１の及び第２の送信手段の各々が、
該当送信手段の人体接触の部分と左／右側の耳までの距離を測定するための距離測定手段をさらに含み、
前記第１の及び第２の制御手段が、前記測定された距離に基づいて前記ユーザの耳領域において相殺的干渉によって前記音響信号が復元されるように該当位相遷移手段を制御することを特徴とする請求項６に記載の単一音源を用いた人体音響送信システム。
【請求項１４】
単一音源を用いた人体音響送信方法において、
伝送対象になる音響信号を第１の高周波信号に乗せ、人体を介して送信する音響信号送信ステップと、
ユーザの耳領域において干渉によって前記第１の高周波信号が相殺され前記音響信号が復元されるように、前記第１の高周波信号と同一の周波数を有する第２の高周波信号を、前記人体を介して送信する干渉信号送信ステップと、
を含むことを特徴とする単一音源を用いた人体音響送信方法。
【請求項１５】
前記音響信号送信ステップが、
前記音響信号を運搬する前記第１の高周波信号を生成して前記音響信号と前記第１の高周波信号を結合し、合成信号を生成するステップと、
前記ユーザの耳領域において前記第１の高周波信号と前記第２の高周波信号が相殺され前記音響信号が復元されるように、前記生成された合成信号の位相を遷移させるステップと、
前記生成された合成信号を、前記人体を介して送るステップと、
を含むことを特徴とする請求項１４に記載の単一音源を用いた人体音響送信方法。
【請求項１６】
前記音響信号送信ステップが、
人体通信中に発生する雑音による信号減殺を防止することができるように、前記合成信号を増幅するステップをさらに含むことを特徴とする請求項１４に記載の単一音源を用いた人体音響送信方法。
【請求項１７】
前記音響信号送信ステップが、
前記人体のインピーダンス特性の変化による前記合成信号の歪みを補正するステップをさらに含むことを特徴とする請求項１４に記載の単一音源を用いた人体音響送信方法。
【請求項１８】
前記干渉信号送信ステップが、
前記第１の高周波信号と同一の周波数を有する第２の高周波信号を生成するステップと、
前記ユーザの耳領域において前記第１の高周波信号と前記第２の高周波信号が相殺され前記音響信号が復元されるように、前記生成された第２の高周波信号の位相を遷移させるステップと、
前記位相遷移された第２の高周波信号を前記人体に出力するステップと、
を含むことを特徴とする請求項１４に記載の単一音源を用いた人体音響送信方法。
【請求項１９】
前記干渉信号送信ステップが、
人体伝送過程で発生する雑音による信号減殺を防止することができるように、前記第２の高周波信号を増幅するステップをさらに含むことを特徴とする請求項１８に記載の単一音源を用いた人体音響送信方法。
【請求項２０】
前記干渉信号送信ステップが、
前記人体のインピーダンス特性の変化による前記第２の高周波信号の歪みを補正するステップをさらに含むことを特徴とする請求項１８に記載の単一音源を用いた体音響送信方法。
【発明の詳細な説明】
【技術分野】
【０００１】
本発明は、人体を通信チャネルとして用いる人体音響送信システム及びその方法に関し、より詳細に人体音響送信システムにおいて１つの送信装置でのみ音響信号を第１の高周波信号に乗せて送信し、他の送信装置では第１の高周波信号と同一の周波数の第２の高周波信号を送信することによって、ユーザの耳領域において第１及び第２の高周波信号が相殺的干渉され音響信号のみが復元されるようにし、これによって別途の受信装置がなくとも音響聴取を可能にし、また音響システム構造を単純化して製作費用を節減できる単一音源を用いた人体音響送信システム及びその方法に関するものである。
【０００２】
この研究は、韓国情報通信省（ＭＩＣ）及び／又は韓国情報通信研究振興院（ＩＩＴＡ）の情報技術（ＩＴ）研究開発計画によって支援された［2006-S-072-01,‘‘Controller SoC for Human Body Communications’’］
【背景技術】
【０００３】
「人体通信」とは、人体に電気が通じる原理を用いて電子製品の「線」をなくし、人の体をケーブルの代わりに使用して電気エネルギーの変化によって信号を伝達する技術をいう。
【０００４】
大韓民国特許出願第１０−２００４−０１０３０３６号及び大韓民国特許出願第１０−２００５−０１００６２４号の優先権を主張しつつ出願し、２００６年６月２９日に公開された特許文献１に記載された「音響送信システム」は、人体を通信チャネルとして用いる高周波音響送信システムに関するものであって、各々音響生成部を備える２つの音響送信装置を用いることを特徴とする。
【０００５】
上記のような従来の音響送信システムでは、各々の音響送信装置ごとに各々内蔵された音響生成部によって生成された音響信号を高周波信号と合成して、人体を介して送信しなければならなかった。しかし、各々の音響送信装置は音響生成部を備えなければならないため、音響送信システムの構造が複雑になり、これによって製作費用も増加するという問題があった。
【先行技術文献】
【特許文献】
【０００６】
【特許文献１】米国特許公開第２００６／０１４３００４号明細書
【発明の概要】
【発明が解決しようとする課題】
【０００７】
本発明の目的は、上記の問題を解決するために提案されたもので、人体音響送信システムにおいて、１つの送信装置でのみ音響信号を第１の高周波信号に乗せて送信し、他の送信装置では第１の高周波信号と同一の周波数の第２の高周波信号を送信することによって、ユーザの耳領域において第１の及び第２の高周波信号が相殺的干渉されて音響信号のみが復元されるようにし、これによって別途の受信装置がなくとも音響聴取を可能にし、また音響システム構造を単純化して製作費用を節減できる単一音源を用いた人体音響送信システム及びその方法を提供することにある。
【０００８】
本発明の他の目的及び長所は下記の説明によって理解することができ、本発明の実施形態によって分明に知り得るものである。また、本発明の目的及び長所は特許請求の範囲に示した手段及びその組合せによって、実現され得ることを簡単に知ることができるであろう。
【課題を解決するための手段】
【０００９】
本発明の態様によると、人体を介して第１の高周波信号と音響信号との合成信号を送信する第１の送信手段と、人体を介して第１の高周波信号と同じ周波数を有する第２の高周波信号を送信する第２の送信手段を含み、ユーザの耳領域において干渉を相殺することによって音響信号を復元する人体音響送信システムが提供される。
【００１０】
本発明の他の態様によると、人体を介して音響信号を搬送する第１の高周波信号を送信するステップと、人体を介して第１の高周波信号と同じ周波数を有する第２の高周波信号を送信するステップとを含み、ユーザの耳領域において干渉を相殺することによって音響信号を復元する、単一の音源を用いた人体音響送信方法が提供される。
【発明の効果】
【００１１】
上記のような本発明において、人体音響送信システムが単一の音源を含むため、容易に実装することができる。また、送信装置と接触しているユーザは別途の受信装置なしで送信された音響信号を聴くことができる。
【００１２】
加えて、人体音響送信システムは、ユーザに人体通信をさせることのみで送信された音響信号を受信することができる。ユーザは、別途の受信装置なしで音響信号を受信することができ、それによってユーザの振る舞いを自由にすることができる。
【図面の簡単な説明】
【００１３】
【図１】本発明の実施形態に係る単一音源を用いた人体音響送信システムに対する説明図である。
【図２】本発明の実施形態に係る音源を備えた第１の送信装置の一実施形態の構造図である。
【図３】本発明の実施形態に係る音源を備えていない第２の送信装置の一実施形態の構造図である。
【図４】本発明の実施形態に係る人体音響送信システムから伝送された２つの信号が相殺的干渉及び建設的干渉を起こす場合の波形図である。
【図５】本発明の実施形態に係る人体音響送信システムから伝送された２つの信号が相殺的干渉及び建設的干渉を起こす場合の波形図である。
【図６】本発明の実施形態に係る人体音響送信システムから伝送された２つの信号が相殺的干渉及び建設的干渉を起こす場合の波形図である。
【図７】本発明の実施形態に係る人体音響送信システムから伝送された２つの信号が相殺的干渉及び建設的干渉を起こす場合の波形図である。
【図８】本発明の実施形態に係る人体音響送信システムから伝送された２つの信号が相殺的干渉及び建設的干渉を起こす場合の波形図である。
【発明を実施するための形態】
【００１４】
上述した目的、特徴及び長所は添付された図と関連した次の詳細な説明によってより明確になるものであり、それに応じて本発明が属する技術分野で通常の知識を有する者が本発明の技術的思想を容易に実施できるだろう。また、本発明を説明するにおいて本発明と関連した公知技術に対する具体的な説明が本発明の要旨を不必要に不明確にすることもあると判断される場合に、その詳細な説明を省略するものとする。以下、添付された図を参照して本発明による好ましい実施形態を詳細に説明する。
【００１５】
図１は、本発明の実施形態に係る単一音源を用いた人体音響送信システムに対する説明図である。以下、本発明による人体音響送信システムで行われる単一音源を用いた人体音響送信方法も別途のフローチャートなしで共に説明する。
【００１６】
本発明による音響送信システムは、図１に図示したように、人体３０に直接接触する第１の送信装置１０及び第２の送信装置２０を含む。第１及び第２の送信装置１０、２０が各々の耳（左／右側の耳）から同一の距離離れて人体３０と接触している。ここで、第１の送信装置１０は、音源を備え、第２の送信装置２０は、音源を備えていない。詳細な説明は、図２及び図３で行うことにする。
【００１７】
ユーザは、通信チャネルとして人体３０を介して伝送される信号を復調するためのデータ処理過程を経ずに、各送信装置１０、２０から伝送される信号の相殺的干渉に基づいて音響信号のみを直接受信することができる。
【００１８】
第１の送信装置１０は、音響信号と第１の高周波信号を結合することによって合成信号を生成して人体３０を介して伝達する。また、第２の送信装置２０は、第１の送信装置１０において生成された第１の高周波信号と同一の周波数を有する第２の高周波信号を生成して人体３０を介して伝達する。
【００１９】
ユーザの耳領域では、それぞれの送信装置１０、２０から伝送される２つの信号を重畳することによって相殺的干渉及び建設的干渉も発生する。建設的干渉によって生成される信号は人の可聴周波数帯域を越える信号であるため、ユーザは信号を感知することはできない。以下では、相殺的干渉が起きる場合を中心に説明することにする。
【００２０】
図２は、本発明の実施形態に係る音源を備えた第１の送信装置を例示するブロック図で、図３は、本発明の実施形態に係る音源を備えていない第２の送信装置を例示するブロック図である。
【００２１】
図２に示したように、音源を備えた第１の送信装置１０は、制御部１０１、音響生成部１０２、高周波信号生成部１０３、信号結合部１０４、位相遷移部１０５、増幅部１０６、校正部１０７及び伝送部１０８を含む。ここで、第１の送信装置１０は、ハンドヘルド（ｈａｎｄ−ｈｅｌｄ）形態とすることができる。
【００２２】
一方、図３に図示したように、音源を備えていない第２の送信装置は、制御部２０１、高周波信号生成部２０３、位相遷移部２０５、増幅部２０６、校正部２０７及び伝送部２０８を含んでなる。ここで、第２の送信装置２０は、ハンドヘルド（ｈａｎｄ−ｈｅｌｄ）形態とすることができる。
【００２３】
第１の送信装置１０は、人体３０を介して音響信号を送信する。
【００２４】
制御部１０１、２０１は、第１及び第２の送信装置１０、２０の各々と耳との間の距離を受信し、音響生成部１０２及び高周波信号生成部１０３で生成される信号の周波数及び位相を調節する。すなわち、制御部１０１は、耳領域における相殺的干渉によって第１の送信装置から出力される合成信号に含まれる高周波数信号を除去し、可聴周波数帯域の音響信号のみが耳に伝達されることを可能にし、それによってユーザは別途の受信装置なしで音響を聞くことができる。
【００２５】
人体３０と接触した第１の送信装置１０の制御部１０１は、耳と送信装置の距離及び同一の人体３０と接触した他の送信装置２０との距離に基づいて、第２の送信装置からの出力信号と同一の高周波信号の周波数を設定する。制御部２０１は、制御部１０１と同様に動作する。２つの送信装置１０、２０が各々の耳から同一の距離で人体３０と対称的に接触しているとき、制御部１０１、２０１は、同一の周波数及び位相を有するように、人体を介して伝達された対応する高周波数信号の周波数及び位相を制御する。
【００２６】
言い換えると、制御部１０１、２０１は、音響生成部１０２及び高周波信号生成部１０３、２０３の各々で生成される出力信号の周波数を調整し、人の耳領域で第１及び第２の送信装置１０、２０から出力された信号の重畳による高周波信号の相殺に基づいて、可聴周波数帯域の音響信号のみが復元する。ここで、２つの送信装置１０、２０の制御部１０１、２０１は、高周波信号生成部１０３、２０３及び伝送部１０８、１０９から出力される信号の出力速度を調節することによって、人体３０における相殺的干渉の発生部分及び発生時間を制御することができ、これによってステレオ音声（Ｓｔｅｒｅｏｐｈｏｎｉｃ  Ｓｏｕｎｄ）効果を提供することができる。
【００２７】
また、制御部１０１、２０１は、位相遷移部（Ｐｈａｓｅ  Ｓｈｉｆｔｅｒ）１０５、２０５の各々を制御することにより出力信号の位相を変更することができ、送信装置１０、２０と人体３０との間のインピーダンスマッチングを考慮することによって、出力信号の位相及び周波数を調節する。加えて、制御部１０１、２０１は事前に保存したクロック情報及び人体３０のインピーダンス情報などを校正部１０７、２０７の各々に送信することによって、クロック情報及びインピーダンス情報が人体３０を介して伝送される信号の補正に利用することができる。
【００２８】
クロック情報及び人体３０のインピーダンス情報が送信装置１０、２０の別途のメモリに保存されているとき、制御部１０１、２０１は、対応するメモリからクロック情報及びインピーダンス情報を抽出し、校正部１０７、２０７の各々に送信することによって、クロック情報及びインピーダンス情報が人体３０を介して伝送される信号の補正に利用することができる。
【００２９】
音源を備えた第１の送信装置１０の音響生成部１０２は、制御部１０１の制御信号に応じてメモリから音響データを抽出し、人体３０を介して音響信号を伝送するために抽出された音響データに該当する可聴周波数帯域の音響信号を生成する。音響生成部１０２は、第１の送信装置１０のメモリに保存されている音響データに基づいて音響信号を生成し、又は外部の通信装置から音響データを受信することによって音響信号を生成する。
【００３０】
そして、第１の送信装置１０の高周波信号生成部１０３は、音響生成部１０２から出力される音響信号と結合され、伝送される第１の高周波信号を生成する。
【００３１】
第２の送信装置２０内の高周波信号生成部２０３は、第１の送信装置１０から伝送された第１の高周波信号と同一の位相の第２の高周波信号を生成する。送信装置１０、２０から送信される２つの高周波信号の位相が互いに同一であるとき、
２つの高周波信号の位相、すなわち、一方は単純な高周波信号、他方は音響信号を搬送する高周波信号であるときは、耳領域の位相が一致せず、それによって２つの高周波信号は相殺される。
【００３２】
高周波信号生成部１０３、２０３において生成される高周波信号の周波数は、音響信号の周波数及び人体３０のインピーダンスに応じて変えることができる。
【００３３】
２つの送信装置１０、２０において生成される高周波信号は、人体３０の耳領域で相殺的干渉によって相殺されるように、同じ位相を有するように制御される。高周波信号生成部１０３、２０３から出力される信号は、可聴周波数帯域、すなわち２０〜２００００Ｈｚより高い周波数領域の超音波信号とすることができる。
【００３４】
第１の送信装置１０の音響生成部１０２で生成された音響信号及び高周波信号生成部１０３で生成された高周波信号は、信号結合部１０４で合成され、合成信号は人体を介して伝達される。人体３０を介して伝送される間、人体のインピーダンス特性による音波の減衰を最小化するために、信号結合部１０４が音響信号と高周波信号を合成する。
【００３５】
第１の送信装置１０の位相遷移部１０５は、制御部１０１の制御信号に応じて、信号結合部１０４から出力される合成信号の出力位相を変更する。また、第２の送信装置２０の位相遷移部２０５も制御部２０１の制御信号に応じて、高周波信号生成部２０３から出力される第２の高周波信号の位相を変更する。
【００３６】
位相遷移部１０５は、第１の送信装置１０から出力される信号の位相を調節する。また、位相遷移部２０５は、第２の送信装置２０から出力される信号の位相を調節する。従って、２つの信号の重畳時に高周波信号を相殺することができる。人体３０の右側に接触している第１の送信装置１０と右耳との間の第１の距離が、人体３０の左側に接触している第２の送信装置２０と左耳との間の第２の距離と大きな差がある場合には、人体３０の頭部で２つの信号が重畳され、干渉が発生するように、位相遷移部１０５、２０５は、信号の１つを遅延することによって２つの信号の位相を調節する。
【００３７】
加えて、位相遷移部１０５は、遅延を制御することによって第１の送信装置１０から出力された信号の位相を変更して、人体３０の干渉発生部分が制御される。同様に、位相遷移部２０５は、遅延を制御することによって第２の送信装置２０から出力された信号の位相を変更して、人体３０の干渉発生部分が制御される。
【００３８】
位相遷移部１０５、２０５は、例えば、回線切り替え（ｌｉｎｅ  ｓｗｉｔｃｈｉｎｇ）を介した位相遷移方法などの電気的方法又は機械的方法などの一般的な位相遷移方法に基づいて信号の位相を変更することができる。
【００３９】
増幅部１０６、２０６は、人体３０を介した送信中に加えられたノイズによる信号の減衰を防ぐために、２つの送信装置の位相遷移信号の出力レベルを増幅する。
【００４０】
制御部１０１は増幅部１０６の増幅比率を制御し、制御部２０１は増幅部２０６の増幅比率を制御するため、ユーザの皮膚の状態及び健康状態に応じて、通信チャネルの環境変化による柔軟な対処を達成することができる。
【００４１】
音響信号と高周波信号との合成信号を送信する第１の送信装置において、校正部１０７は、音質問題、すなわち信号の歪みに起因する音質制御が困難な問題を解決する。信号の歪みは、人体３０のインピーダンス特性によって引き起こされる。人体のインピーダンス特性が、送信装置１０、２０の接触部分の変更及び健康状態の変化に応じて変わるため、インピーダンス特性を考慮する補正を実行するべきである。
【００４２】
伝送部１０８、２０８は、送信装置１０、２０において人体３０と直接接触され、音響信号と高周波信号との合成信号又は高周波信号のみを出力する。伝送部１０８、２０８は、送信装置１０、２０と人体３０との間の音響的結合（ａｃｏｕｓｔｉｃａｌｌｙ  ｃｏｕｐｌｉｎｇ）を実行する。すなわち、伝送部１０８、２０８の各々は、一種の変換器（ｔｒａｎｓｄｕｃｅｒ）であって、信号を、人体において伝達及び復元することができる振動信号又は電気信号に変更して出力する。
【００４３】
図２に示されるように、校正部１０７は、第１の送信装置１０の増幅部１０６の後段に配置され、信号結合部１０４から出力された合成信号を補正することによって、周波数特性及び入力／出力特性を改善する。しかし、他の実施形態では、校正部１０７が信号結合部１０４の前段に位置し、合成前の入力信号を補正することができる。
【００４４】
また、本発明に係る送信装置１０、２０は、感知機能に基づいて、各々の送信装置１０、２０に応じた接触位置と右耳又は左耳との間の距離を測定する距離測定部１０９、２０９をさらに含むことができる。その後、制御部１０１、２０１は、距離測定部１０９、２０９で測定された距離に基づいて位相遷移部１０５、２０５を制御し、ユーザの耳領域において相殺的干渉を介して音響信号のみを復元する。
【００４５】
図４ないし図８は、本発明に係る人体音響送信システムから伝送された２つの信号の間の相殺的干渉及び建設的干渉の波形図である。以下、図４ないし図８を参照して、音響送信システム内での音響信号の伝送を説明する。
【００４６】
図５及び図６は、２つの送信装置１０、２０から伝送される２つの合成信号の波形を表し、図７は２つの信号の間の相殺的干渉を示す波形を表し、図８は２つの信号の間の建設的干渉を示す波形を表す。
【００４７】
図４は、人体接触した第１の送信装置１０で生成された音響信号３０１及び高周波信号３０２の波形を表し、図５は音響信号３０１と第１の高周波信号３０２とを合成することによって信号結合部１０４で生成された信号３０３の波形を表す。また、図６は、同一の人体３０と接触した第２の送信装置２０で生成された第２の高周波信号３０４の波形を表す。
【００４８】
図６に示された第２の高周波信号３０４は、図４に示された第１の高周波信号３０２よりも半周期の分だけ進んでいる。すなわち、第１の高周波信号３０２及び第２の高周波信号３０４は、位相が一致していない。
【００４９】
図７は、第１の送信装置１０及び第２の送信装置２０から出力され、互いに異なる位相を有する２つの信号３０３、３０４の間の相殺的干渉によって生成される波形３０５を示し、図８は、２つの信号３０３、３０４の間の建設的干渉によって生成される波形３０６を示す。
【００５０】
相殺的干渉が図７のように発生した場合、高周波信号が相殺され、音響信号が耳領域に伝送される。他方で、建設的干渉が図８のように発生した場合、人の可聴周波数帯域より高い周波数を有する高周波信号が依然として残っているため、ユーザは建設的干渉によって生成された信号を認知することができない。すなわち、相殺的干渉によって生成される信号のみが、有効に人体を介して伝送され、ユーザによって認知されることができる。
【００５１】
２つの送信装置１０、２０から出力された信号は、持続的に人体の媒介を介して伝達される一方で、建設的干渉の部分は相殺的干渉に変わり、相殺的干渉の部分は建設的干渉に変わる。従って、２つの高周波信号を重畳する全ての領域で音響信号を認知することができる。
【００５２】
上述のように、本発明は、高周波信号の位相を調節することによって耳領域において相殺的干渉を誘導する。しかし、制御部１０１は、音響生成部１０２から出力される音響信号の周波数及び高周波信号生成部１０３から出力される高周波信号の周波数を制御することによって音響信号のみを人体の耳に到達させる。
【００５３】
例えば、伝送しようとする音響信号がｆ0の周波数を有する場合、制御部１０１は、音響生成部１０２を制御してｆ0の周波数を有する音響信号を出力し、高周波生成部１０３を制御してｆ1の周波数を有する高周波信号を生成する。また、制御部２０１は、高周波生成部２０３を制御してｆ1の周波数を有する高周波信号を出力する。最終的に、第１の送信装置１０は、ｆ0＋ｆ1の周波数を有する信号を出力し、第２の送信装置２０は、ｆ1の周波数を有する高周波信号を生成する。
【００５４】
出力信号は、耳領域においてｆ0の周波数を有する信号に合成され、その信号は人体を介して伝達される。以上説明したように、所定の周波数を有する音響信号が人体３０と接触した２つの送信装置１０、２０から出力された信号を合成することによって得ることができるとき、全ての周波数の任意の組合せを用いることができる。
【００５５】
上述したような本発明の方法は、プログラムで具現され、コンピュータで読み取り可能な形態で記録媒体（ＣＤ−ＲＯＭ、ＲＡＭ、ＲＯＭ、フロッピーディスク、ハードディスク、光磁気ディスクなど）に保存されることができる。このような過程は、本発明が属する技術分野で通常の知識を有する者が容易に実施することができるのでこれ以上詳細に説明しないものとする。
【００５６】
本出願は、２００７年５月２日に韓国特許庁に出願され、全体内容が参照された韓国特許出願２００７−００４２６７７号に関連する主題を含む。
【００５７】
以上で説明した本発明は、本発明が属する技術分野で通常の知識を有する者において、本発明の技術的思想に外れない範囲内で色々な置換、変形及び変更が可能なため、前述した実施形態及び添付された図によって限定されるものではない。
【図１】
2010527176.tif 000003
【図２】
2010527176.tif 000004
【図３】
2010527176.tif 000005
【図４】
2010527176.tif 000006
【図５】
2010527176.tif 000007
【図６】
2010527176.tif 000008
【図７】
2010527176.tif 000009
【図８】
2010527176.tif 000010
【国際調査報告】
2010527176.tif 000011
2010527176.tif 000012